(57)【要約】      （修正有）【課題】散髪する際に、刈られた毛髪が飛散するのを効果的に防止でき、後始末を簡単にできる散髪用カバーを提供する。【解決手段】可撓性の円錐状カバー本体３と、それに連設された可撓性の環状帯部１５と、複数設けられた紐状体と、円錐状カバー本体３の下端円周縁部分と環状帯部１５の上端円周縁部分に夫々取り付けられた環状ワイヤーとを備える。被散髪者が装着すると、紐状体の緊張により環状帯部１５の上端が引き上げられて環状壁となる。従って、環状帯部１５と円錐状カバー本体３の下部との間に環状凹部２９が形成される。刈られた毛髪ｈは円錐状カバー本体３の外面上を滑り降りて、環状凹部２９に溜まっていく。被散髪者が不用意に動いて環状凹部２９が持ち上げられた場合でも、環状帯部１５が外方または内方に折込まれるので、環状凹部２９の底部に溜まった毛髪ｈはそのまま溜まる。【選択図】図２
0003146132.tif 000002
【実用新案登録請求の範囲】
【請求項１】
可撓性の円錐状カバー本体と、前記円錐状カバー本体の下端円周縁に連設された可撓性の環状帯部と、複数設けられ、各々の一端が前記円錐状カバー本体の外面に連結され他端が前記環状帯部に連結された紐状体と、前記円錐状カバー本体の下端円周縁部分と前記環状帯部の上端円周縁部分に夫々取り付けられた環状枠体とを備え、
被散髪者が前記円錐状カバー本体を被って首から下を覆うと、前記紐状体の緊張により前記環状帯部の上端が引き上げられて環状壁になることを特徴とする散髪用カバー。
【請求項２】
請求項１に記載した散髪用カバーにおいて、
環状枠体は捻じって小径に折畳むことができるバネ状部材で形成されたものであることを特徴とする散髪用カバー。
【請求項３】
請求項２に記載した散髪用カバーにおいて、
環状枠体は同じ寸法のもので構成されていることを特徴とする散髪用カバー。
【請求項４】
請求項１から３のいずれかに記載した散髪用カバーにおいて、
円錐状カバー本体と環状帯部と紐状体はプラスチックシートによって構成されていることを特徴とする散髪用カバー。
【考案の詳細な説明】
【技術分野】
【０００１】
本考案は、散髪する際に、被散髪者に被らせる散髪カバーに関するものである。
【背景技術】
【０００２】
従来から、特許文献１に記載されているように、扇状のカバー本体の上辺に取り付けられた紐を首回りで結んで装着するものや、円錐状のカバー本体に頭を通して装着するものなど、種々の散髪用カバーが知られている。
【０００３】
【特許文献１】特開２００５−２７８９６２号公報
【考案の開示】
【考案が解決しようとする課題】
【０００４】
しかしながら、従来の散髪用カバーを装着した場合には、刈られた毛髪は当該カバー上に落下したものは当該カバーによって一旦受け止められるが、被散髪者が少しでも動けば容易に飛散して床面に散らばってしまう。従って、従来は、床面にシートを敷いてから散髪をしており、後始末が面倒であった。
本考案は上記従来の問題点に着目して為されたものであり、散髪する際に、刈られた毛髪が飛散するのを効果的に防止できる散髪用カバーを提供することを、その目的とする。
【課題を解決するための手段】
【０００５】
本考案は上記課題を解決するためになされたものであり、請求項１の考案は、可撓性の円錐状カバー本体と、前記円錐状カバー本体の下端円周縁に連設された可撓性の環状帯部と、複数設けられ、各々の一端が前記円錐状カバー本体の外面に連結され他端が前記環状帯部に連結された紐状体と、前記円錐状カバー本体の下端円周縁部分と前記環状帯部の上端円周縁部分に夫々取り付けられた環状枠体とを備え、被散髪者が前記円錐状カバー本体を被って首から下を覆うと、前記紐状体の緊張により前記環状帯部の上端が引き上げられて環状壁になることを特徴とする散髪用カバーである。
【０００６】
請求項２の考案は、請求項１に記載した散髪用カバーにおいて、環状枠体は捻じって小径に折畳むことができるバネ状部材で形成されたものであることを特徴とする散髪用カバーである。
【０００７】
請求項３の考案は、請求項２に記載した散髪用カバーにおいて、環状枠体は同じ寸法のもので構成されていることを特徴とする散髪用カバー。
【０００８】
請求項４の考案は、請求項１から３のいずれかに記載した散髪用カバーにおいて、円錐状カバー本体と環状帯部と紐状体はプラスチックシートによって構成されていることを特徴とする散髪用カバーである。
【考案の効果】
【０００９】
本考案の散髪用カバーを被れば、被散髪者が動いても刈られた毛髪が飛散するのを防止できる。
【考案を実施するための最良の形態】
【００１０】
本考案の実施の形態に係る散髪用カバー１を図面にしたがって説明する。
図１は被散髪者（Ｈ）が散髪用カバー１を被った状態を前方から見た状態を示す。
符号３は円錐状カバー本体を示し、二枚の扇形シートが縫合されて形成されている。２つの縫合部４は肩から腕にかかる位置に夫々延びている。円錐状カバー本体３の上側開口部５からは下側に延びる１本の切込みが形成されており、その切込みには折込み片７が二つ折りされて折り込まれている。上側開口部５の縁に沿ってネック部９が縫着されて連設されており、このネック部９の一端側の外側面には雌型面ファスナー１１が縫着されて取り付けられ、他端側の内側面には雄型面ファスナー１３が縫着されて取り付けられている。
【００１１】
符号１５は環状帯部を示し、この環状帯部１５の下端円周縁は円錐状カバー本体３の下端円周縁と縫合されている。従って、環状帯部１５が円錐状カバー本体３の下端円周縁に連設された状態となっている。環状帯部１５の幅は一定になっている。
符号１７は紐状体を示し、この紐状体１７は左右１組ずつ合計４本設けられている。各々の一端が円錐状カバー本体３の外面に連結され他端が環状帯部１５に連結されている。左右同じなので左側について詳細に説明すると、２本の紐状体１７の一端は上記した縫合部４の肩部にかかる位置に共に縫着されている。そして、図１で前側に見える紐状体１７の他端は、環状帯部１５の前側寄りの上端に縫着されている。また、後側に見える紐状体１７の他端は、環状帯部１５の後側寄りの上端に縫着されている。２本の紐状体１７の他端は夫々縫合部４から同じ距離だけ離間している。また、紐状体１７は２本とも同じ長さになっている。
【００１２】
円錐状カバー本体３と、折込み片７と、環状帯部１５と、紐状体１７はいずれも同じ可撓性のプラスチックシート、例えば、ポリエステルにアルミが蒸着されたシートで構成されている。
【００１３】
符号１９は袋状部を示し、この袋状部１９は円錐状カバー本体３と同じ素材で構成された細帯状シートが二つ折りされ、円錐状カバー本体３と環状帯部１５の縫合部を挟んで縫合されてなるものである。この袋状部１９に、バネ状部材として、両端が連結されて環状となった環状ワイヤー２１が差込まれている。
符号２３は袋状部を示し、この袋状部２３は円錐状カバー本体３と同じ素材で構成された細帯状シートが二つ折りされ、環状帯部１５の上端円周縁を挟んで縫合されてなるものである。この袋状部２３に、バネ状部材として、両端が連結されて環状となった環状ワイヤー２５が差込まれている。
環状ワイヤー２１、２５は共にスチールによって構成され、同じ寸法のもので構成されている。
【００１４】
符号２７はゴム紐を示し、このゴム紐２７の両端は環状帯部１５に縫着されてループ状になっている。
【００１５】
以下に、散髪用カバー１の使用方法について、図１、図２にしたがって説明する。
散髪用カバー１の円錐状カバー本体３は環状ワイヤー２１によって展延されている。この状態で、雄型面ファスナー１３を雌型面ファスナー１１から取り外し、折込み片７を展開させてネック部９を拡げる。そして、被散髪者（Ｈ）に頭から被ってもらう。その後、雄型面ファスナー１３を雌型面ファスナー１１の適当な位置に係着させて、首回り部分のしまり具合を調整する。
被った状態では、被散髪者（Ｈ）の首から下が円錐状カバー本体３によって覆われる。また、４本の紐状体１７が緊張して環状帯部１５の上端をバランスよく引っ張りあげるので、環状帯部１５が略垂直に立ち上がった環状壁となる。従って、環状帯部１５と円錐状カバー本体３の下部との間に環状凹部２９が形成される。
上記により、散髪用カバー１の装着作業が終了する。
【００１６】
図２は散髪用カバー１を装着した被散髪者（Ｈ）を後方から見た斜視図であるが、この図に示すように、散髪用カバー１が装着された状態で、被散髪者（Ｈ）を散髪すると、刈られた毛髪（ｈ）は円錐状カバー本体３の外面上を滑り降りて、環状凹部２９に溜まっていく。
被散髪者（Ｈ）が不用意に動いて環状凹部２９が持ち上げられた場合でも、環状帯部１５が外方または内方に折込まれるので、環状凹部２９の底部に溜まった毛髪（ｈ）はそのまま溜まり、毛髪（ｈ）が飛散することはない。これは、環状凹部２９の底部に環状ワイヤー２１が取り付けられているからである。
【００１７】
以下に、散髪用カバー１の折畳み方法について、図３から図５にしたがって説明する。
図３に示すように、ネック部９が上になるようにして、環状ワイヤー２１、２５を重ね合わせた後、両手で直径方向両端の環状ワイヤー２１、２５側部分を持つ。次に、図４に示すように、直径を軸として約３６０°捻じりながら三つ重ねに折り畳んで、図５に示すように小径の円が三つ重なったものとする。このままでは、折り畳まれた散髪用カバー１は、環状ワイヤー２１の弾性力によって簡単に展開されてしまうので、次に、同じく図５に示すように、ゴム紐２７を巻いて固定する。
【００１８】
上記のように、散髪用カバー１を装着した場合には、刈られた毛髪（ｈ）が環状凹部２９に確実に保持されるので、床面への飛散を防止できる。
また、小さく折畳めるので大きな収納スペースを必要としない。
【００１９】
以上、本考案の実施の形態について詳述してきたが、具体的構成は、この実施の形態に限られるものではなく、本考案の要旨を逸脱しない範囲における設計の変更などがあっても考案に含まれる。
【産業上の利用可能性】
【００２０】
本考案の散髪用カバーを利用すれば、刈られた毛髪などは飛散しないので、後始末が簡単になる。従って、家庭で散髪する際の必需品としての利用が期待されている。
【図面の簡単な説明】
【００２１】
【図１】本考案の実施の形態に係る散髪用カバーの使用状態を説明する斜視図である。
【図２】図１の散髪用カバーにより刈られた毛髪が溜まっていく状態を説明する図である。
【図３】図１の散髪用カバーの折畳み方法の最初の作業を説明する斜視図である。
【図４】図３後の折畳み作業を説明する斜視図である。
【図５】図４後の折畳み作業及びゴム紐による固定作業を説明する斜視図である。
【符号の説明】
【００２２】
１…散髪用カバー
３…円錐状カバー本体              ４…縫合部
５…上側開口部                    ７…折込み片
９…ネック部              １１、１３…面ファスナー
１５…環状帯部                    １７…紐状体
１９…袋状部                        ２１…環状ワイヤー
２３…袋状部                        ２５…環状ワイヤー
２７…ゴム紐                        ２９…環状凹部
Ｈ…被散髪者                        ｈ…刈られた毛髪
【図１】
0003146132.tif 000003
【図２】
0003146132.tif 000004
【図３】
0003146132.tif 000005
【図４】
0003146132.tif 000006
【図５】
0003146132.tif 000007